(57)【特許請求の範囲】
【請求項１】
回線間の中継を行なう中継装置であって、
方路毎に少なくとも１つ設けられた、対応する方路上の回線と接続する複数の回線インタフェース部と、
前記複数の回線インタフェース部に接続されている回線間の中継を行なう中継部と、を備え、
前記中継部は、
番号体系、方路および番号編集条件が対応付けられて記憶された記憶手段と、
前記複数の回線インタフェース部に接続されている回線より受け取った着番号の番号体系と、前記記憶手段に記憶されている番号体系および方路の対応関係とを用いて、当該着番号を受け取った回線（第１回線と呼ぶ）を中継すべき方路を選択する方路選択手段と、
前記方路選択手段で選択された方路と前記記憶手段に記憶されている方路および番号編集条件の対応関係とを用いて、前記着番号の一部を削除して当該削除した部分に別の番号を追加する番号編集手段と、
前記第１回線と、前記方路選択手段で選択された方路に対応する前記回線インタフェース部に接続されている回線（第２回線と呼ぶ）とを中継して、前記番号編集手段により編集された前記着番号を、前記第２回線へ送出する中継制御手段と、を有すること
を特徴とする中継装置。
【請求項２】
請求項１記載の中継装置であって、
前記方路選択手段は、
前記第１回線より受け取った着番号の番号体系に対応付けられている方路が、前記記憶手段に記憶されていない場合、当該着番号による呼を解放すること
を特徴とする中継装置。
【請求項３】
請求項１または２記載の中継装置であって、
前記複数の回線インタフェース部のうちの少なくとも１つは音声回線と接続する音声回線インタフェース部であり、その他はＡＴＭ（Asynchronous Transfer Mode）上の仮想チャネルと接続する中継回線インタフェース部であること
ことを特徴とする中継装置。
【請求項４】
請求項３記載の中継装置と、前記中継装置の前記音声回線インタフェース部および音声回線を介して当該中継装置に接続された交換機と、前記交換機に収容された音声端末と、を有すること
を特徴とするネットワークシステム。
【請求項５】
請求項３記載の中継装置と、前記中継装置の前記中継回線インタフェース部およびＡＴＭ上の仮想チャネルを介して当該中継装置に接続されたＡＴＭ多重化装置と、前記ＡＴＭ多重化装置に接続された交換機と、前記交換機に収容された音声端末と、を有すること
を特徴とするネットワークシステム。
【請求項６】
請求項１に記載の中継装置であって、
前記編集手段が削除する前記着番号の一部は、前記第１回線で使用される特番であり、
前記編集手段が追加する前記別の番号は、前記第２回線で使用される特番である、
ことを特徴とする中継装置。
【発明の詳細な説明】
【０００１】
【発明の属する技術分野】
本発明は、回線の中継技術に関し、特に、異なる番号体系を採用する交換機間の中継を行なうのに好適な技術に関する。
【０００２】
【従来の技術】
従来より、遠隔配置された複数の交換機（例えばＰＢＸ：Private Branch Exchange）を、ＡＴＭ（Asynchronous Transfer Mode）等の中継回線で中継することにより、ある交換機に収容された音声端末（例えば内線電話機）および他の交換機に収容された音声端末間の通話を可能とする通信システムの構築が行なわれている。
【０００３】
【発明が解決しようとする課題】
ところで、上記の通信システムにおいて、送り側の交換機が扱う番号体系と受け側の交換機が扱う番号体系とが異なる場合、たとえば、送り側の交換機が特番と内線番号からなる番号体系を扱っており、受け側の交換機が内線番号のみの番号体系を扱っている場合、受け側の交換機は、送り側の交換機より送られてきた特番と内線番号からなる着番号を処理できない。このため、既設の交換機間を中継する場合、従来は、各交換機が採用する番号体系を見直して統一する必要があった。
【０００４】
本発明は、上記事情を鑑みてなされたものであり、本発明の目的は、各交換機が異なる番号体系を採用する場合であっても、これらの交換機の番号体系を見直しすることなく、これらの交換機間の中継を可能とすることにある。
【０００５】
【課題を解決するための手段】
上記目的達成のために、本発明は、各交換機よりの回線を中継する中継装置に、送り側の交換機よりの着番号を、受け側の交換機が採用する番号体系に整合するように編集してから、受け側の交換機への回線に送出する機能を持たせる。
【０００６】
より具体的には、本発明の中継装置は、
方路毎に少なくとも１つ設けられた、対応する方路上の回線と接続する複数の回線インタフェース部と、
前記複数の回線インタフェース部に接続されている回線間の中継を行なう中継部と、を備える。
【０００７】
そして、前記中継部は、
番号体系、方路および番号編集条件が対応付けられて記憶された記憶手段と、
前記複数の回線インタフェース部に接続されている回線より受け取った着番号の番号体系と、前記記憶手段に記憶されている番号体系および方路の対応関係とを用いて、当該着番号を受け取った回線（第１回線と呼ぶ）を中継すべき方路を選択する方路選択手段と、
前記方路選択手段で選択された方路と前記記憶手段に記憶されている方路および番号編集条件の対応関係とを用いて、前記着番号の一部を削除して当該削除した部分に別の番号を追加する番号編集手段と、
前記第１回線と、前記方路選択手段で選択された方路に対応する前記回線インタフェース部に接続されている回線（第２回線と呼ぶ）とを中継して、前記番号編集手段により編集された前記着番号を、前記第２回線へ送出する中継制御手段と、を有する。
【０００８】
このような中継装置によれば、各方路に接続された交換機が異なる番号体系を採用する場合であっても、送り側の交換機よりの着番号が、受け側の交換機が採用する番号体系に整合するように編集されてから、受け側の交換機への回線に送出されるので、各交換機の番号体系の見直しをしなくても、各交換機間の中継が可能となる。
【０００９】
なお、上記において、回線インタフェース部に接続されている回線がＡＴＭ上の仮想チャネルである場合、中継装置は、当該回線に接続されたＡＴＭ多重化装置を介して、交換機と接続することになる。
【００１０】
【発明の実施の形態】
以下に、本発明の一実施形態について説明する。
【００１１】
図１は、本発明の一実施形態が適用された通信システムの概略構成図である。
【００１２】
図示するように、本実施形態の通信システムは、内線電話機等の音声端末６を収容したＰＢＸ４ａ1〜４ａnが接続されたＡＴＭ多重化装置２1〜２nが、それぞれＡＴＭ網上の中継回線３1〜３nを介して、ＡＴＭ多重化/中継装置１に接続されて構成されている。ここで、ＡＴＭ多重化/中継装置１は、音声回線５1〜５mを介して、音声端末６を収容したＰＢＸ４ｂ1〜４ｂmにも接続されている。
【００１３】
このような構成において、ＡＴＭ多重化/中継装置１は、あるＰＢＸ４より送られてきた呼を、その着番号中の特番（局番）により特定されるＰＢＸ４への方路上の回線（中継回線３1〜３nおよび音声回線５1〜５m）へ中継して、呼制御を行なう。この際、着番号の番号体系が、当該着番号中の特番により特定されるＰＢＸ４が扱っている番号体系と異なる場合（たとえば、着番号中の特番により特定されるＰＢＸ４が内線番号のみを扱っているような場合）、当該ＰＢＸ４が処理できるように前記着番号を編集してから中継して、呼制御を行なう。
【００１４】
次に、ＡＴＭ多重化/中継装置１についてより詳細に説明する。
【００１５】
なお、図１に示す通信システムを構成するＡＴＭ多重化/中継装置１以外の各装置（ＡＴＭ多重化装置２、ＰＢＸ４および音声端末６）は、既存の装置と同じであるので、詳細な説明を省略する。
【００１６】
図２は、図１に示すＡＴＭ多重化/中継装置１の概略構成図である。
【００１７】
図中、符号１１は主制御部、符号１２は記憶部、符号１３はＳＶＣ（Switched Virtual Channel）制御部、符号１４はＳＡＲ（Segmentation and Reassenbly）制御部、符号１５1〜１５mは音声回線インタフェース部、符号１６1〜１６nは中継回線インタフェース部、そして、符号１７はスイッチ部である。
【００１８】
記憶部１２には、音声回線インタフェース部１５1〜１５mおよび中継回線インタフェース部１６1〜１６nのいずれかに着呼があった場合に、当該呼を中継すべき方路を特定するためのルーティング情報が格納されたルーティング情報格納テーブル１２１と、方路毎に当該方路上の回線に接続された（回線が中継回線３の場合は当該回線およびＡＴＭ多重化装置２を介して接続された）ＰＢＸ４が着呼を処理できるように着番号を編集するための番号編集条件が格納された番号編集条件格納テーブル１２２とが、記憶されている。
【００１９】
図３に、ルーティング情報格納テーブル１２１の登録内容例を示す。
【００２０】
図示するように、ルーティング情報格納テーブル１２１には、着番号に含まれる特番毎に、その着番号を伴う呼を中継すべき方路上の回線に接続された回線インタフェース部の識別番号が対応付けられて登録されている。この例では、図１に示すように、ＰＢＸ４ｂ1の特番が「５０」、ＰＢＸ４ｂmの特番が「６０」、ＰＢＸ４ａ1の特番が「７０」、そして、ＰＢＸ４ａnの特番が「８０」である場合を想定している。
【００２１】
このため、ＰＢＸ４ｂ1への音声回線５1に接続された音声回線インタフェース部１５1が特番「５０」に、ＰＢＸ４ｂmへの音声回線５mに接続された音声回線インタフェース部１５mが特番「６０」に、ＰＢＸ４ａ1に接続されたＡＴＭ多重化装置２1への中継回線３1に接続された中継回線インタフェース部１６1が特番「７０」に、そして、ＰＢＸ４ａnに接続されたＡＴＭ多重化装置２nへの中継回線３nに接続された中継回線インタフェース部１６nが特番「８０」に、それぞれ対応付けられて登録されている。
【００２２】
図４に、番号編集条件格納テーブル１２２の登録内容例を示す。
【００２３】
図示するように、番号編集条件格納テーブル１２２には、方路毎に、当該方路方路上の回線に接続された回線インタフェース部の識別番号と、当該方路へ送出する着番号の編集条件（着番号の追加と削除）とが対応付けられて登録されている。この例では、図１に示すように、ＰＢＸ４ｂ1が自身の特番「５０」と内線番号からなる着番号「５０-××××」を伴う着呼を処理することができ、ＰＢＸ４ｂmが自身の特番「６０」とは異なる特番「９０」と内線番号からなる着番号「９０-××××」を伴う着呼を処理することができ、ＰＢＸ４ａ1が自身の特番「７０」と内線番号からなる着番号「７０-××××」を伴う着呼を処理することができ、そして、ＰＢＸ４ａnが内線番号のみの着番号「××××」を伴う着呼を処理することができる場合を想定している。
【００２４】
このため、ＰＢＸ４ｂ1への音声回線５1に接続された音声回線インタフェース部１５1およびＰＢＸ４ａ1に接続されたＡＴＭ多重化装置２1への中継回線３1に接続された中継回線インタフェース部１６1に対応付けられている着番号の編集条件は、追加・削除なしに設定されている。また、ＰＢＸ４ｂmへの音声回線５mに接続された音声回線インタフェース部１５mに対応付けられている着番号の編集条件は、着番号の先頭２桁を削除し、そらから先頭に特番「９０」を追加するように設定されている。また、ＰＢＸ４ａnに接続されたＡＴＭ多重化装置２nへの中継回線３nに接続された中継回線インタフェース部１６nに対応付けられている着番号の編集条件は、着番号の先頭２桁を削除するように設定されている。
【００２５】
主制御部１１は、ＡＴＭ多重化/中継装置１の各部を統括的に制御する。たとえば、主制御部１１は、記憶部１２からルーティング情報格納テーブル１２１を読み出して、ＳＶＣ制御部１３に通知する。また、主制御部１１は、記憶部１２から番号編集条件格納テーブル１２２を読み出す。そして、番号編集条件格納テーブル１２２に格納されている着番号の編集条件各々を、当該編集条件に対応付けられている回線インタフェース部１５1〜１５m、１６1〜１６nに通知する。
【００２６】
音声回線インタフェース部１５1〜１５mは、対応する音声回線５1〜５mより着呼があると、当該回線よりの情報から着番号等の呼制御情報を抽出してＳＶＣ制御部１３に通知する。また、ＳＶＣ制御部１３より呼制御情報を受け取ると、これを対応する音声回線５1〜５mへ送出する。この際、ＳＶＣ制御部１３より受け取った着番号を、予め主制御部１１より通知された編集条件にしたがって編集してから、対応する音声回線５1〜５mへ送出する。
【００２７】
また、音声回線インタフェース部１５1〜１５mは、対応する音声回線５1〜５mよりの情報から音声通話情報を抽出してスイッチ部１７に送信すると共に、スイッチ部１７より送られてきた音声通話情報を、対応する音声回線５1〜５mへ送出する。
【００２８】
中継回線インタフェース部１６1〜１６nは、対応する中継回線３1〜３n上のシグナリングパスを介して着番号等の呼制御情報を格納したセルを受け取ると、これをＳＡＲ制御部１４に通知する。また、ＳＡＲ制御部１４より呼制御情報を格納したセルを受け取ると、これを対応する中継回線３1〜３n上のシグナリングパスへ送出する。この際、ＳＡＲ制御部１４より受け取ったセルに格納された着番号を、予め主制御部１１より通知された編集条件にしたがって編集してから、対応する中継回線３1〜３n上のシグナリングパスへ送出する。
【００２９】
また、中継回線インタフェース部１６1〜１６nは、対応する中継回線３1〜３n上の通話パスよりのセルから音声通話情報を抽出してスイッチ部１７に送信すると共に、スイッチ部１７より送られてきた音声通話情報をセルに格納して、対応する中継回線３1〜３n上の通話パスへ送出する。
【００３０】
ＳＡＲ制御部１４は、呼制御情報のセル化・デセル化を行なって、中継回線インタフェース部１６1〜１６nおよびＳＶＣ制御部１３間の呼制御情報のやり取りを中継する。
【００３１】
ＳＶＣ制御部１３は、音声回線インタフェース部１５1〜１５mより着番号を受け取ると、予め主制御部１１より通知されたルーティング情報格納テーブル１２１を用いて、当該着番号中の特番に対応付けられている回線インタフェース部１５1〜１５m、１６1〜１６nを特定する。そして、特定した回線インタフェース部と前記着番号を送出した音声回線インタフェース部１５1〜１５mとの間の呼制御情報のやり取りを中継して、呼制御を行なう。また、特定した回線インタフェース部と前記着番号を送出した音声回線インタフェース部１５1〜１５mとの間の音声通話情報のやり取りを中継するようにスイッチ部１７を中継する。
【００３２】
また、ＳＶＣ制御部１３は、ＳＡＲ制御部１４を介して、中継回線インタフェース部１６1〜１６nより着番号を受け取ると、予め主制御部１１より通知されたルーティング情報格納テーブル１２１を用いて、当該着番号中の特番に対応付けられている回線インタフェース部１５1〜１５m、１６1〜１６nを特定する。そして、特定した回線インタフェース部と前記着番号を送出した中継回線インタフェース部１６1〜１６nとの間の呼制御情報のやり取りを、ＳＡＲ制御部１４を介して中継して、呼制御を行なう。また、特定した回線インタフェース部と前記着番号を送出した中継回線インタフェース部１６1〜１６nとの間の音声通話情報のやり取りを中継するようにスイッチ部１７を制御する。
【００３３】
スイッチ部１７は、ＳＶＣ制御部１３よりの指示にしたがい、回線インタフェース部間（音声回線インタフェース部１５1〜１５m間、中継回線インタフェース部１６1〜１６n間、もしくは、音声回線インタフェース部１５1〜１５mおよび中継回線インタフェース部１６1〜１６n間）を接続して、音声通話情報を中継する。
【００３４】
次に、このようなＡＴＭ多重化/中継装置１の動作について説明する。
【００３５】
図５は、図２に示すＡＴＭ多重化/中継装置１の動作フローを説明するための図である。
【００３６】
上述したように、音声回線インタフェース部１５1〜１５mは、対応する音声回線５1〜５mより着呼があると、当該回線よりの情報から着番号等の呼制御情報を抽出してＳＶＣ制御部１３に通知する。また、中継回線インタフェース部１６1〜１６nは、対応する中継回線３1〜３n上のシグナリングパスを介して着番号等の呼制御情報を格納したセルを受け取ると、これをＳＡＲ制御部１４に通知する。
【００３７】
さて、ＳＶＣ制御部１３は、音声回線インタフェース部より、あるいは、ＳＡＲ制御部１４を介して中継回線インタフェース部より着番号を受け取ると（Ｓ５０１）、予め主制御部１１より通知されたルーティング情報格納テーブル１２１に、当該着番号中の特番に対応付けられている回線インタフェース部があるか否かを調べる（Ｓ５０２）。
【００３８】
前記着番号中の特番に対応付けられている回線インタフェース部がある場合は（Ｓ５０３でＹｅｓ）、この回線インタフェース部を呼を中継すべき方路に特定する。次に、当該回線インタフェース部に接続されている回線に、断等の障害が発生しているか否かを調べ（Ｓ５０４）、障害が発生していないならば（Ｓ５０５でＮｏ）、さらに、当該回線インタフェース部に接続されている回線に空きがあるか否かを調べる（Ｓ５０６）。そして、空きがある場合は（Ｓ５０７でＹｅｓ）、前記着番号を送出した回線インタフェース部と中継すべき方路に特定された回線インタフェース部とを制御して、前記着番号を送出した回線インタフェース部が当該着番号を受信した回線と、前記空きが確認された回線との間の呼制御情報のやり取りを中継して、呼制御を行なう（Ｓ５０８）。なお、この際、中継すべき方路に特定された回線インタフェース部は、ＳＶＣ制御部１３より受け取った着番号を、予め主制御部１１より通知された編集条件にしたがって編集し、それから前記空きが確認された回線へ送出する。
【００３９】
次に、ＳＶＣ制御部１３は、呼制御が成立したならば（Ｓ５０９でＹｅｓ）、スイッチ部１７を制御して、前記着番号を送出した回線インタフェース部が当該着番号を受信した回線と、中継すべき方路に特定された回線インタフェース部に接続されている前記空きが確認された回線とを接続し、これらの回線間の音声通話情報のやり取りを中継する（Ｓ５１０）。
【００４０】
一方、ＳＶＣ制御部１３は、前記着番号中の特番に対応付けられている回線インタフェース部がルーティング情報格納テーブル１２１に登録されていない場合（Ｓ５０３でＮｏ）、あるいは、前記着番号中の特番に対応付けられている回線インタフェース部がルーティング情報格納テーブル１２１に登録されているけれども、当該回線インタフェース部に接続されている回線に障害がある場合または空きがない場合（Ｓ５０５、Ｓ５０７でＮｏ）、もしくは、呼制御が成立しなかった場合（Ｓ５０９でＮｏ）は、呼を解放する（Ｓ５１１）。
【００４１】
次に、このようなＡＴＭ多重化/中継装置１により実現される着番号の中継の具体例について説明する。
【００４２】
図６は、図１において、ＰＢＸ４ｂ1に収容された音声端末６が、他のＰＢＸ４に収容された音声端末６へ発呼した場合に、ＡＴＭ多重化/中継装置１が行なう着番号の中継を示している。
【００４３】
図６に示すように、ＰＢＸ４ｂ1に収容された音声端末６が発呼すると、ＡＴＭ多重化/中継装置１は、ＰＢＸ４ｂ1を介して当該音声端末６より送られてきた着番号を受信し、その着番号中の特番を調べる。
【００４４】
ここで、特番が「７０」のときは、図３に示すルーティング情報格納テーブル１２１から、当該呼の中継先をＰＢＸ４ａ1への回線３1に設定し、当該回線３1へ着番号を送出する。この際、図４に示す番号編集条件格納テーブル１２１より、特番が「７０」の着番号に対する編集条件はないので、ＰＢＸ４ｂ1を介して音声端末６より受け取った着番号を、そのまま中継先の回線３1に送出する（Ｃ６０１）。
【００４５】
また、特番が「８０」のときは、図３に示すルーティング情報格納テーブル１２１から、当該呼の中継先をＰＢＸ４ａnへの回線３nに設定し、当該回線３nへ着番号を送出する。この際、図４に示す番号編集条件格納テーブル１２１より、特番が「８０」の着番号に対する編集条件は「先頭２桁削除」であので、ＰＢＸ４ｂ1を介して音声端末６より受け取った着番号から先頭２桁「８０」を削除し、それから中継先の回線３nに送出する（Ｃ６０２）。
【００４６】
また、特番が「６０」のときは、図３に示すルーティング情報格納テーブル１２１から、当該呼の中継先をＰＢＸ４ｂmへの回線４mに設定し、当該回線４mへ着番号を送出する。この際、図４に示す番号編集条件格納テーブル１２１より、特番が「６０」の着番号に対する編集条件は「先頭２桁削除」および「先頭２桁「９０」追加」であので、ＰＢＸ４ｂ1を介して音声端末６より受け取った着番号の先頭２桁「６０」を「９０」に変更し、それから中継先の回線３nに送出する（Ｃ６０３）。
【００４７】
このように、本実施形態のＡＴＭ多重化/中継装置１によれば、各方路に接続されたＰＢＸ４が異なる番号体系を採用する場合であっても、送り側のＰＢＸ４よりの着番号が、受け側のＰＢＸ４が採用する番号体系に整合するように編集されてから、受け側の交換機４への回線に送出されるので、各ＰＢＸ４の番号体系の見直しをしなくても、各ＰＢＸ４間の中継が可能となる。
【００４８】
以上、本発明の一実施形態について説明した。
【００４９】
なお、本発明は上記の実施形態に限定されるものではなく、その要旨の範囲内で数々の変形が可能である。
【００５０】
たとえば、上記の実施形態では、方路毎に、当該方路上の回線と接続する回線インタフェース部を１つ設けているが、１つの方路に対し当該方路上の回線と接続する回線インタフェース部を複数設けてもよい。
【００５１】
また、上記の実施形態では、本発明を音声回線５1〜５mおよびＡＴＭ上の中継回線３1〜３n間を中継するＡＴＭ多重化/中継装置１に適用した場合を例にとり説明したが、本発明は、回線交換型（ＡＴＭ交換型を含む）の交換機や中継装置に広く適用することができる。
【００５２】
【発明の効果】
以上説明したように、本発明によれば、各交換機が異なる番号体系を採用する場合であっても、これらの交換機の番号体系を見直しすることなく、これらの交換機間の中継が可能となる。
【図面の簡単な説明】
【図１】本発明の一実施形態が適用された通信システムの概略構成図である。
【図２】図１に示すＡＴＭ多重化/中継装置１の概略構成図である。
【図３】図２に示す記憶部１２に格納されるルーティング情報格納テーブル１２１の登録内容例を示す図である。
【図４】図２に示す記憶部１２に格納される番号編集条件格納テーブル１２２の登録内容例を示す図である。
【図５】図２に示すＡＴＭ多重化/中継装置１の動作フローを説明するための図である。
【図６】図１において、ＰＢＸ４ｂ1に収容された音声端末６が、他のＰＢＸ４に収容された音声端末６へ発呼した場合に、ＡＴＭ多重化/中継装置１が行なう着番号の中継内容を示す図である。
【符号の説明】
１…ＡＴＭ多重化/中継装置
２1〜２n…ＡＴＭ多重化装置
３1〜３n…中継回線
４ａ1〜４ａn、４ｂ1〜４ｂm…ＰＢＸ
５1〜５m…音声回線
６…音声端末
１１…主制御部
１２…記憶部
１３…ＳＶＣ制御部
１４…ＳＡＲ制御部
１５1〜１５m…音声回線インタフェース部
１６1〜１６m…中継回線インタフェース部
１７…スイッチ部
【図１】
0004608083.tif 000002
【図２】
0004608083.tif 000003
【図３】
0004608083.tif 000004
【図４】
0004608083.tif 000005
【図５】
0004608083.tif 000006
【図６】
0004608083.tif 000007